(57)【要約】本発明は、絶縁材ハウジング（２）と、並列に位置する複数のプラグ接触部材（１３ａ）を有する第１の多極プラグ接触部材接続部（６）と、および第１のプラグ接触部材接続部（６）のプラグ接触部材（１３ａ）に対し間隔をなして配置されている、並列に位置する３つのプラグ接触部材（１３ｂ）を有する第２の多極プラグ接触部材接続部（７）と、を備えたスイッチング分配器（１）に関するものである。スイッチング分配器（１）は、スイッチング・ユニットを接続するための、並列に位置する複数の接続接触部材（１３ｃ）を有する第３の多極プラグ接触部材接続部（９）を有し、接続接触部材（１３ｃ）は、第１のプラグ接触部材接続部（６）および第２のプラグ接触部材接続部（７）のプラグ接触部材（１３ａ、１３ｂ）に対し間隔をなして配置され且つ接続接触部材（１３ｃ）の自由端部を、第１および第２のプラグ接触部材接続部（６、７）のプラグ接触部材（１３ａ、１３ｂ）とは異なる方向に向けている。第３のプラグ接触部材接続部（９）の接続接触部材（１３ｃ）の少なくとも１つが、第１のプラグ接触部材接続部（６）のそれぞれ１つの付属プラグ接触部材（１３ａ）と導電結合されている。第１のプラグ接触部材接続部（６）と結合されてない、第３の多極プラグ接触部材接続部（９）の１つの自由な接続接触部材（１３ｃ）は、第２のプラグ接触部材接続部（７）の１つのプラグ接触部材（１３ｂ）と導電結合されている。第１および第３のプラグ接触部材接続部（６、９）の少なくとも一対の接続接触部材は、相互に且つ第２のプラグ接触部材接続部（７）のそれぞれ１つの付属プラグ接触部材（１３ｂ）と導電結合されている。【選択図】図６
2015516656.tif 000002
【特許請求の範囲】
【請求項１】
絶縁材ハウジング（２）と、
並列に位置する複数のプラグ接触部材（１３ａ）を有する第１の多極プラグ接触部材接続部（６）と、
第１のプラグ接触部材接続部（６）のプラグ接触部材（１３ａ）に対し間隔をなして配置されている、並列に位置する複数のプラグ接触部材（１３ｂ）を有する第２の多極プラグ接触部材接続部（７）と、を備えたスイッチング分配器（１）であって、
スイッチング・ユニットを接続するための、並列に位置する接続接触部材（１３ｃ）を有する第３の多極プラグ接触部材接続部（９）を備えており、接続接触部材（１３ｃ）は、第１のプラグ接触部材接続部（６）および第２のプラグ接触部材接続部（７）のプラグ接触部材（１３ａ、１３ｂ）に対し間隔をなして配置され且つ接続接触部材（１３ｃ）の自由端部を、第１および第２のプラグ接触部材接続部（６、７）のプラグ接触部材（１３ａ、１３ｂ）とは異なる方向に向けており、
第３のプラグ接触部材接続部（９）の接続接触部材（１３ｃ）の少なくとも１つが、第１のプラグ接触部材接続部（６）の各々の１つの関連するプラグ接触部材（１３ａ）と導電結合され、
第３のプラグ接触部材接続部（９）の１つの自由な接続接触部材（１３ｃ）は第１のプラグ接触部材接続部（６）と結合されてなく、この自由な接続接触部材（１３ｃ）は第２のプラグ接触部材接続部（７）の１つのプラグ接触部材（１３ｂ）と導電結合され、
第１および第３のプラグ接触部材接続部（６、９）の少なくとも一対の接続接触部材（１３ａ、１３ｃ）が、相互に且つ第２のプラグ接触部材接続部（７）の各々の１つの関連するプラグ接触部材（１３ｂ）と導電結合されている、スイッチング分配器（１）。
【請求項２】
関連するプラグ接触部材（１３ａ、１３ｂ）および接続接触部材（１３ｃ）を相互に導電結合するために、絶縁材ハウジング（２）内に挿入されたメタルブリッジ（１７、１８）が存在する、請求項１に記載のスイッチング分配器（１）。
【請求項３】
第１、第２および／または第３のプラグ接触部材接続部（６、７、９）のプラグ接触部材（１３ａ、１３ｂ）が、関連するメタルブリッジ（１７、１８）を受け入れ且つそれと接触するための、少なくとも一対の相互に向かい合うフォーク歯（１６）を備えたフォーク接点（１５）を有する、請求項２に記載のスイッチング分配器（１）。
【請求項４】
メタルブリッジ（１７、１８）が、プラグ接触部材（１３ａ、１３ｂ）および／または接続接触部材（１３ｃ）とは別個に製造された部品である、請求項２または３に記載のスイッチング分配器（１）。
【請求項５】
メタルブリッジ（１７、１８）の各々が、１つのプラグ接触部材（１３ａ、１３ｂ）または接続接触部材（１３ｃ）と一体に製造され且つプラグ接触により関連する他のプラグ接触部材（１３ａ、１３ｂ）および／または接続接触部材（１３ｃ）と結合されている、請求項２または３に記載のスイッチング分配器（１）。
【請求項６】
第３のプラグ接触部材接続部（９）の接続接触部材（１３ｃ）が、プラグ接触するための自由端部において、それぞれ一対の向かい合うフォーク舌片（１４）を有するフォーク接点として形成されている、請求項１ないし５のいずれか一項に記載のスイッチング分配器（１）。
【請求項７】
絶縁材ハウジング（２）が、第２のプラグ接触部材接続部（７）のプラグ接触部材（１３ｂ）における、第１および第３のプラグ接触部材接続部（６、９）の関連するプラグ接触部材（１３ａ）および接続接触部材（１３ｃ）との並列に位置する導電結合部の間に、隔壁（２５）を有する、請求項１ないし６のいずれか一項に記載のスイッチング分配器（１）。
【請求項８】
絶縁材ハウジング（２）が、相互に固定するための固定要素（５）を有するベース部分（３）およびカバー部分（４）を備えて２つの部分から形成されており、
第１および第２のプラグ接触部材接続部（６、７）と、第２のプラグ接触部材接続部（７）のプラグ接触部材（１３ｂ）における、第１および第３のプラグ接触部材接続部（６、９）の関連するプラグ接触部材（１３ａ）および接続接触部材（１３ｃ）との導電結合部と、がベース部分に配置されており、
カバー部分（４）をベース部分（３）に固定したのちにおいては、第３のプラグ接触部材接続部（９）の接続接触部材（１３ｃ）はカバー部分（４）の開口を介してアクセス可能である、請求項１ないし７のいずれか一項に記載のスイッチング分配器（１）。
【請求項９】
プラグ接触部材接続部（６、７、９）が、絶縁材ハウジング（２）から突出する保護スリーブ（８ａ、８ｂ、８ｃ）を有し、保護スリーブ（８ａ、８ｂ、８ｃ）は絶縁材ハウジング（２）と一体に製造され且つそれぞれ１つの関連するプラグ接触部材（１３ａ、１３ｂ）または接続接触部材（１３ｃ）を受け入れる、請求項１ないし８のいずれか一項に記載のスイッチング分配器（１）。
【請求項１０】
第３のプラグ接触部材接続部（９）が、スイッチング・ユニットとしてのセンサまたはアクチュエータを接続するために設けられている、請求項１ないし９のいずれか一項に記載のスイッチング分配器（１）。
【請求項１１】
スイッチング・ユニットが、運動検知器、ドア接点、露点モニタ、弁または存在検知器である、請求項１０に記載のスイッチング分配器（１）。
【請求項１２】
スイッチング・ユニットがカバー部分（４）に組み込まれている、請求項１ないし１１のいずれか一項に記載のスイッチング分配器（１）。
【請求項１３】
第１および第２のプラグ接触部材接続部（６、７）が三極であり且つ並列に位置する３つのプラグ接触部材（１３ａ、１３ｂ）であり、および第３のプラグ接触部材接続部（９）が並列に位置する４つの接続接触部材（１３ｃ）を有して四極であり、接続接触部材（１３ｃ）は第１のプラグ接触部材接続部（６）に向かい合って配置され且つプラグ接触部材（１３ｃ）の自由端部を、第１のプラグ接触部材接続部（６）のプラグ接触部材（１３ａ）とは反対方向に向け、
第３の四極プラグ接触部材接続部（９）の３つの接続接触部材（１３ｃ）の各々が第１のプラグ接触部材接続部（６）の１つの関連するプラグ接触部材（１３ａ）と導電結合され、これにより接点対を形成し、
第１のプラグ接触部材接続部（６）と結合されていない、第３の四極プラグ接触部材接続部（９）の第４の自由な接続接触部材（１３ｃ）が第２の三極プラグ接触部材接続部（７）の１つのプラグ接触部材（１３ｂ）と導電結合され、および相互に結合された二対の第１および第３のプラグ接触部材接続部（６、９）の各々が第２の三極プラグ接触部材接続部（７）の１つの関連するプラグ接触部材（１３ｂ）と導電結合されている、請求項１ないし１２のいずれか一項に記載のスイッチング分配器（１）。
【発明の詳細な説明】
【技術分野】
【０００１】
本発明は、
絶縁材ハウジングと、
並列に位置する複数のプラグ接触部材を有する第１の多極プラグ接触部材接続部と、および
第１のプラグ接触部材接続部のプラグ接触部材に対し間隔をなして配置されている、並列に位置する複数のプラグ接触部材を有する第２の多極プラグ接触部材接続部と、を備えたスイッチング分配器に関するものである。
【背景技術】
【０００２】
欧州特許第０６２７７９４Ｂ１号は、１つのプラグ面から突出し且つ複数のレベル内において上下に重なって配置されたプラグ装置を有する電気プラグ分配ブロックを示す。最下レベル内に、三相交流を導通させるための五極貫通プラグが設けられている。その上に配置されたレベル内に、三極分岐プラグが存在し、三極分岐プラグは、分配器ハウジング内において、横方向結合により、五極入力レベルの付属接続部と結合されている。横方向結合は例えばメタルインサートにより行われてもよい。
【０００３】
ドイツ特許公開第１０２００７０４７０５４Ａ１号から、２つの半ケースを有するハウジングからなり、半ケースが、相互に向かい合う外面に、接点受入レベルを形成する接点部品受入部を有する電気プラグ分配ブロックが既知である。ハウジングの内部において、接点受入レベルの部品が少なくとも１つの接点格子により相互に結合されている。
【０００４】
ドイツ特許第１９９４３７３４Ｂ４号は、電気消費部を、プラグコネクタの絶縁材ハウジング内に動かないように固定された３つの位相貫通導体の１つに接続するための設置型電気プラグコネクタを開示する。Ｕ形に相互に間隔をなして配置された、同じ方向を向くプラグ接点を有するプラグ式電気ブリッジにより、位相セレクタが形成されている。消費部接続導体および位相貫通導体の接点タップ面は、それぞれ、ブリッジのプラグ接点を差し込むためのプラグ受入部を有する。
【０００５】
さらに、ドイツ実用新案登録第２９６０５８４６Ｕ１号から、プログラミング可能な分配装置を有する配電システムが既知である。この場合、メイン導体、メイン導体内に挿入された分配装置および電気消費部のための、分配装置を介してメイン導体から分岐されたサブ導体が設けられている。特定の分配装置に付属された消費部のスイッチング状態は、プログラミング・プラグにより制御可能である。プログラミング・プラグは例えばスイッチング・プラグとして形成可能である。
【先行技術文献】
【特許文献】
【０００６】
【特許文献１】欧州特許第０６２７７９４Ｂ１号
【特許文献２】ドイツ特許公開第１０２００７０４７０５４Ａ１号
【特許文献３】ドイツ特許第１９９４３７３４Ｂ４号
【特許文献４】ドイツ実用新案登録第２９６０５８４６Ｕ１号
【発明の概要】
【発明が解決しようとする課題】
【０００７】
このことから出発して、本発明の課題は、多極出口に接続された、例えば照明のような装置をスイッチングするために、それぞれ１つの多極入口、多極出口並びに多極タップ口を有する、コンパクトに且つ簡単に構成されている改良スイッチング分配器を提供することである。
【課題を解決するための手段】
【０００８】
この課題は、請求項１の特徴を有するスイッチング分配器により解決される。有利な実施形態が従属請求項に記載されている。
このタイプのスイッチング分配器に対して、スイッチング・ユニットを接続するための第３の多極プラグ接触部材接続部が存在することが提案される。この第３のプラグ接触部材接続部は並列に位置する複数の接続接触部材を有し、接続接触部材は、第１および第２のプラグ接触部材接続部のプラグ接触部材に対し間隔をなして配置され且つ接続接触部材の自由端部を、第１および第２のプラグ接触部材接続部のプラグ接触部材とは異なる方向に向けている。第３のプラグ接触部材接続部の接続接触部材の少なくとも１つが、第１のプラグ接触部材接続部のそれぞれ１つの付属プラグ接触部材と導電結合されている。第３のプラグ接触部材接続部の１つの自由な接続接触部材は第１のプラグ接触部材接続部と結合されてなく、第２のプラグ接触部材接続部の１つのプラグ接触部材と導電結合されている。少なくとも一対の第１および第３のプラグ接触部材接続部は、相互に並びに第２のプラグ接触部材接続部のそれぞれ１つの付属プラグ接触部材と導電結合されている。
【０００９】
これにより、他の２つのプラグ接触部材接続部とは異なる方向に突出する第３のプラグ接触部材接続部は、スイッチング・ユニットを接続するために提供される。この場合、第１および第２のプラグ接触部材接続部は、接続接触部材による少なくとも１つの貫通結合を有し、この貫通結合は、装着されたスイッチング・ユニットの電圧供給のために、さらに第３のプラグ接触部材接続部の接続接触部材に接続されている。第１および第２のプラグ接触部材接続部の少なくとも１つの他の接続接触部材は切り離され、したがって、第１および第２のプラグ接触部材接続部の間には導体ブリッジを介して相互に導電結合されていない。これに対して、これらの接続接触部材は、それぞれ、第３のプラグ接触部材接続部の付属接続接触部材と結合されているので、第３のプラグ接触部材接続部に装着されたスイッチング・ユニットとブリッジ可能である。これにより、装着されたスイッチング・ユニットを介して、プラグ接触部材接続部の１つに接続された装置のスイッチングのための多極タップ口を有する、コンパクトに且つ簡単に構成されたスイッチング分配器が可能となる。
【００１０】
このようなスイッチング・ユニットとして、特に、センサ（例えばリード接点、運動検知器、ドア接点、存在検知器、露点モニタ等）またはアクチュエータ（例えば、弁、または場合により追加スイッチング機能を有する、その他の直列に挿入されたアクチュエータ）が使用可能である。
【００１１】
第１および第２の三極プラグ接触部材接続部に追加して、並列に位置する４つの接続接触部材を有する第３の四極プラグ接触部材接続部が設けられていることが好ましい。第３の四極プラグ接触部材接続部の接続接触部材は、第１のプラグ接触部材接続部に向かい合って配置され且つその自由端部を、第１の三極プラグ接触部材接続部のプラグ接触部材とは反対方向に向けている。
【００１２】
第３の四極プラグ接触部材接続部の３つの接続接触部材は、第１のプラグ接触部材接続部のそれぞれ１つの付属プラグ接触部材と導電結合され、および第３の四極プラグ接触部材接続部の、第１のプラグ接触部材と結合されていない第４の自由な接続接触部材は、第２の三極プラグ接触部材接続部の１つのプラグ接触部材と導電結合されている。相互に結合された二対の第１および第３のプラグ接触部材接続部は、第２の三極プラグ接触部材接続部のそれぞれ１つの付属プラグ接触部材と導電結合されている。このように、第３の四極プラグ接触部材接続部はスイッチング・ユニットを接続するために設けられている。
【００１３】
これにより、上下に平行に配置された２つの三極プラグ接触部材接続部に追加して、スイッチング分配器のそれに向かい合う側に、異なる数の四極プラグ接触部材接続部が設けられることが提案され、この四極プラグ接触部材接続部にスイッチング・ユニットが接続可能である。この場合、三極プラグ接触部材接続部のプラグ接触部材および第３の四極プラグ接触部材接続部の接続接触部材は相互に結合され、これにより、第１または第２の三極プラグ接触部材接続部を介して電源電圧が供給可能であり且つ他の三極プラグ接触部材接続部は消費部を接続するために設けられている。
【００１４】
このとき、消費部は、四極プラグ接触部材接続部に接続可能なスイッチング・ユニットにより操作可能である。この操作は、第１のプラグ接触部材接続部とは結合されていない、第２の三極プラグ接触部材接続部の１つのプラグ接触部材と導電結合されている、第３の四極プラグ接触部材接続部の第４の自由な接続接触部材により行われ、一方、相互に結合された他の二対の第１および第３のプラグ接触部材接続部は、第２の三極プラグ接触部材接続部のそれぞれ１つの付属プラグ接触部材と導電結合されている。
【００１５】
これにより、あとからでも行える、消費部の、電源への簡単なプラグ結合および付属スイッチング・ユニットの、簡単でコンパクトに形成された安価なスイッチング分配器との結合が行われる。
【００１６】
付属プラグ接触部材および接続接触部材を相互に導電結合するために、絶縁材ハウジング内に挿入され且つそれに対応して付属プラグ接触部材および接続接触部材と導電結合されるメタルブリッジが設けられているとき、それは特に有利である。
【００１７】
これに関連して、第１、第２および／または第３のプラグ接触部材接続部のプラグ接触部材が、絶縁材ハウジング内に存在し且つ付属メタルブリッジを受け入れてそれと接触するように働く、少なくとも一対の相互に向かい合うフォーク歯を備えたフォーク接点を有することにより、スイッチング分配器の特に安価で且つ簡単な構造が可能となる。これにより、例えば、板状の（例えば矩形の）メタルブリッジが、簡単に、このようなフォーク接点内に締付可能である。メタルブリッジは、このように、付属プラグ接触部材／接続接触部材と導電結合されるのみでなく、フォーク接点により機械的にも支持される。このようなメタルブリッジは簡単に曲げられるので、必要な結合経路に適合可能である。
【００１８】
この場合、メタルブリッジが、プラグ接触部材および／または接続接触部材とは別に製造された部品であることが好ましい。
しかしながら、メタルブリッジが、例えば、プラグ接触部材および／または接続接触部材と一体に製造され且つそれに続いてプラグ結合等により他のプラグ接触部材および／または接続接触部材と結合されてもよい。
【００１９】
さらに、第３のプラグ接触部材接続部の接続接触部材が、プラグ接触するための自由端部において、それぞれ一対の向かい合うフォーク舌片を有するフォーク接点として形成されているとき、それは有利である。これにより、１つまたは複数のスイッチング装置の相手プラグコネクタまたはスイッチング装置それ自身が、平形接点またはピン接点が差込可能であるように、第３のプラグ接触部材接続部のフォーク接点と導電結合可能である。これらのフォーク接点は、メタルブリッジと差込接触するための、向かい合う自由端部におけるフォーク接点と組み合わせ可能であることが有利である。このような接続接触部材は、打抜き／曲げ工程において簡単且つ安価に製造可能である。
【００２０】
スイッチング分配器の絶縁材ハウジングが、第２のプラグ接触部材接続部のプラグ接触部材の、第１および第３のプラグ接触部材接続部の付属プラグ接触部材および接続接触部材との、並列に位置する導電結合の間に、隔壁を有することが好ましい。このようにして、場所をとらないコンパクトな構造において、必要なエアギャップおよび沿面距離の保持の達成が本質的に改善される。
【００２１】
さらに、絶縁材ハウジングが、ベース部分およびカバー部分を備えて２つの部分から形成されているとき、それは有利である。この場合、ベース部分およびカバー部分は相互に結合するための固定要素を有する。第１および第２のプラグ接触部材接続部と、並びに第２のプラグ接触部材接続部のプラグ接触部材の、第１および第３のプラグ接触部材接続部の付属プラグ接触部材および接続接触部材との導電結合とが、この場合、ベース部分内に配置されている。カバー部分をベース部分に固定したのちにおいては、第３のプラグ接触部材接続部の接続接触部材はカバー部分内の開口を介してアクセス可能である。これにより、スイッチング分配器は、本質的に、はじめにベース部分内に予め組み込まれ、それに続いて第３のプラグ接触部材接続部を完成したのちにカバー部分を閉鎖することにより完成可能である。製造の間カバー部分が取り除かれてベース部分が開放されることにより、プラグ接触部材およびプラグ接触部材／接続接触部材の間の導電結合が、あとから、プラグ接触部材／接続接触部材への装着、ないしはこれとのはんだ付けまたは溶接により、可能である。次に、それに続いて、導電結合の完了後に、カバー部分の閉鎖によってスイッチング分配器が完成される。
【００２２】
プラグ接続接触部材が、絶縁材ハウジングから突出する保護スリーブを有することが好ましく、保護スリーブは絶縁材ハウジングと一体に製造され且つそれぞれ１つの付属プラグ接触部材または接続接触部材を受け入れる。したがって、特に、絶縁材ハウジングが２つの部分からなる実施形態においては、絶縁材料からなる個々の保護スリーブがカバー部分およびベース部分から突出し、保護スリーブ内に、相手プラグコネクタまたは直接スイッチング・ユニットと接触するためのプラグ接触部材接続部のプラグ接触部材が挿入されている。これらのプラグ接触部材は、接触危険がないように、保護スリーブ内に受け入れられている。さらに、保護スリーブは、コーディングのために、または誤った差込みの防止のために利用されてもよい。この実施形態においては、このとき、絶縁材ハウジングは、適切な輪郭形成によりコーディングされていることが好ましい。
【００２３】
第３の四極プラグ接触部材接続部は、例えば、スイッチング・ユニットとして、運動検知器、ドア接点または存在検知器を接続するように設けられている。スイッチング分配器のこの一実施形態において、スイッチング・ユニットが絶縁材ハウジングのカバー部分内に組み込まれていてもよい。
【００２４】
以下に本発明が添付図面を用いて一実施例により詳細に説明される。
【図面の簡単な説明】
【００２５】
【図１】図１は、スイッチング分配器の側面図を示す。
【図２】図２は、第１および第２のプラグ接触部材接続部を有するベース部分の側を見た、図１からのスイッチング分配器の斜視図を示す。
【図３】図３は、図２からのスイッチング分配器の、９０°回転された斜視図を示す。
【図４】図４は、第３のプラグ接触部材接続部を有するカバー部分の側を見た、図１ないし３からのスイッチング分配器の斜視図を示す。
【図５】図５は、ベース部分と、および内部に位置するプラグ接触部材接続部およびメタルブリッジと、を有する、開放されたスイッチング分配器の斜視図を示す。
【図６】図６は、図１ないし５からのスイッチング分配器の接触部材アセンブリの斜視図を示す。
【図７】図７は、ベース部分に追加固定アームを有する、図５のスイッチング分配器の一実施形態の斜視図を示す。
【図８】図８は、図７からのスイッチング分配器のカバー部分を見た斜視図を示す。
【図９】図９は、スイッチング分配器の二極／三極変更態様の斜視図を示す。
【図１０】図１０は、図９からのスイッチング分配器の側面図を示す。
【図１１】図１１は、接続接触部材の電気結合を有する、図９および１０からのスイッチング分配器の概略図を示す。
【図１２】図１２は、接続接触部材の電気結合を有する、スイッチング分配器の他の二極／三極変更態様の概略図を示す。
【発明を実施するための形態】
【００２６】
図１は、２つの部分から構成された絶縁材ハウジング２を有するスイッチング分配器１の一実施形態の側面図を示す。絶縁材ハウジング２はベース部分３およびカバー部分４から構成され、ベース部分３およびカバー部分４は対応する固定要素５を介して相互に固定されている。このような固定要素５は、例えば、突出する固定突起を有する図示の固定ブラケットであってもよい。これらの固定ブラケットは対応する固定壁セクションの下側に導入され且つこのときこの固定壁セクションにより固定される。
【００２７】
さらに、一方の側、即ち図示されている図１において右側に、上下に位置する２つのレベル上にそれぞれ、下側の第１のプラグ接触部材（換言すれば、端子部材）接続部６およびその上方に位置してこれに平行な第２のプラグ接触部材接続部７が設けられていることがわかる。プラグ接触部材接続部６および７は見えていないプラグ接触部材により形成され、プラグ接触部材は、絶縁材ハウジング２から突出し且つ絶縁材ハウジング２と一体に形成された保護スリーブ８ａ、８ｂ内に包囲されている。したがって、プラグ接触部材は外部からの接触がないように保護され且つ危険な感電のリスクは低減される。
【００２８】
向かい合う側のカバー部分４に、反対方向を向く第３のプラグ接触部材接続部９が設けられ、第３のプラグ接触部材接続部９は、同様に、絶縁材ハウジング２から突出し且つ絶縁材ハウジング２のカバー部分４と一体に製造された保護スリーブ８ｃを有する。この場合もまた、見えていないプラグ接触部材は、接触危険がないように保護スリーブ８ｃ内に受け入れられている。
【００２９】
さらに、カバー部分４から、第３のプラグ接触部材接続部９の保護スリーブ８ｃに平行に、固定ジャックのための他のより短い受入部１０が突出していることがわかる。受入部１０により、例えば、さらに、第３のプラグ接触部材接続部に装着可能な相手プラグコネクタの誤った差込みが阻止可能である。
【００３０】
図２は、図１からのスイッチング分配器１の斜視図を示す。この場合、見る方向は、２つのレベル上で平行に上下に位置する第１および第２のプラグ接触部材接続部６、７を有する絶縁材ハウジングのベース部分３の方向に向けられている。各プラグ接触部材接続部６、７は並列に位置する３つの保護スリーブ８を有し、保護スリーブ８内に、対応して並列に位置する３つのプラグ接触部材が組み込まれていることがわかる。第２の三極プラグ接続部接触部材７の保護スリーブ８ｂは、この場合、第１のプラグ接触部材接続部６の保護スリーブ８ａに平行に配置され且つベース部分３の同じ共通面から垂直に同じ方向に突出する。保護スリーブ８ａ、８ｂ、８ｃに対応して、その中に装着されたプラグ接触部材が配置されている。
【００３１】
さらに、保護スリーブ８ａ、８ｂおよび８ｃは、その周囲形状により、またはそれに隣接するウェブにより、コーディング機能のために別々に輪郭が形成されていることがわかる。これにより、それに適合した相手プラグコネクタのみの受入れが許容され且つ相手コネクタの誤った差込みが可能な限り確実に阻止される。
【００３２】
図３は、図２からのスイッチング分配器を、９０°回転された斜視図で示す。図２および３から、ベース部分３およびカバー部分４における、絶縁材ハウジング２の両方の側壁に、固定ブラケットの形の固定要素５が設けられ、固定要素５は、カバー部分の固定当接壁の下側に入り込み且つこれに固定されることがわかる。
【００３３】
絶縁材ハウジング２の側部の下側領域内に、さらに、オプションとしてくさび状の固定フック１１が設けられ、固定フック１１により、スイッチング分配器１は、適切な取付けホルダに、固定フック１１とのはめ込み係合により固定可能である。
【００３４】
図４は、カバー部分４から突出する、第３のプラグ接触部材接続部９の保護スリーブ８ｃを有する該カバー部分４を上から見た、図１ないし３からのスイッチング分配器の斜視図を示す。その中に組み込まれた（見えない）プラグ接触部材を有する４つの保護スリーブ８ｃが並列に配置されていることがわかる。このようにして、四極プラグ接触部材接続部９が形成される。左外側の２つの保護スリーブ８ｃの間に、オプションとして、これに平行に突出する、誤った差込みを阻止するためのコーディングピン１２が設けられている。
【００３５】
さらに、右側の２つの保護スリーブ８ｃの上側に、これに平行に突出する、固定ジャックのためのより短い２つの受入部１０が設けられている。
図５は、開放されたスイッチング分配器１の斜視図を示す。この場合、絶縁材ハウジング２のベース部分３内に、第１の三極プラグ接触部材接続部６に対するプラグ接触部材１３ａ、第２の三極プラグ接触部材接続部７に対するプラグ接触部材１３ｂおよび第３の四極プラグ接触部材接続部９に対する接続接触部材１３ｃが、絶縁材ハウジング２内に組み込まれていることがわかる。第３の四極プラグ接触部材接続部９に対する接続接触部材１３ｃは、図示されていないスイッチング・ユニットの相手プラグコネクタまたはスイッチング・ユニットそれ自身のプラグ接触のために、自由端部にフォーク接点を有することがわかる。このフォーク接点は、それ自身既知のように、それぞれ一対の向かい合うフォーク舌片を有し、フォーク舌片の間に対応する平形接点またはピン接点が受け入れられ且つフォーク舌片１４のばね力により導電接触される。
【００３６】
さらに、第１および第２のプラグ接触部材接続部６および７に対するプラグ接触部材１３ａおよび１３ｂにより、プラグ接触部材１３ａおよび１３ｂが、ベース部分３の内部空間内に同様にフォーク接点（換言すれば、二又接点）１５を有し、このフォーク接点１５は、この実施例において相互に上下に且つ平行に配置された少なくとも一対の、相互に向かい合うフォーク歯１６を有することがわかる。同様に第３のプラグ接触部材接続部９のプラグコネクタ１３ｃにおいてもまた設けられているこのフォーク接点１５は、例えば付属された板状の矩形メタルブリッジ（換言すれば、金属製橋絡部）１７および１８を受け入れるように働く。
【００３７】
３つのメタルブリッジ１７は、それぞれ、上側の第２のプラグ接触部材接続部７のプラグ接触部材１３ｂを、下側の第１および第３のプラグ接触部材接続部６および９の付属プラグ接触部材および接続接触部材１３ａおよび１３ｃと相互に導電結合するために設けられている。右側のメタルブリッジ１７は、第１、第２および第３のプラグ接触部材接続部のプラグ接触部材１３ａ、１３ｂおよび１３ｃをそれぞれ同じように導電結合するために設けられていることがわかる。これらのメタルブリッジは、例えば、中性導体接続部Ｎおよび保護接地接続部ＰＥのために設けられている。これに対して、左側のメタルブリッジ１７は、上側の第２のプラグ接触部材接続部７の１つのプラグ接触部材１３ｂおよび下側の第３の四極プラグ接触部材接続部９の接続接触部材１３ｃとのみ結合されている。上側の第２の三極プラグ接触部材接続部７の左側のプラグ接触部材１３ｂと下側の三極プラグ接触部材接続部６との間の直接導電結合は存在しない。第１の三極プラグ接触部材接続部６の第３のプラグ接触部材１３ａは、むしろ、他のメタルブリッジ１８のみにより、第３の四極プラグ接触部材接続部９の接続接触部材１３ｃとのみ結合されている。これにより、第３の四極プラグ接触部材接続部９の左側の２つの接続接触部材１３ｃのスイッチング結合により、例えば上側の第２の三極プラグ接触部材接続部に接続された電気消費部を電圧電位Ｌと結合することが可能である。この場合、電圧電位が、電源接続により、第１のプラグ接触部材接続部６に印加可能であり、および短いメタルブリッジ１８を介して、第３の四極プラグ接触部材接続部９に接続されたスイッチング・ユニットに伝達可能である。
【００３８】
プラグ接触部材１３ａ、１３ｂ、１３ｃおよびフォーク接点１５のこの実施形態により、スイッチング分配器の特に安価で且つ簡単に形成可能な構造が、特にコンパクトな形で達成可能である。
【００３９】
図５から、さらに、ベース部分３の側壁に、固定要素５を形成するために固定ブラケット１９が突出していることがわかる。
第２のプラグ接触部材接続部７の保護スリーブ８ｂに平行に、さらに固定アーム２０が突出し、固定アーム２０は、保護スリーブ８ｂに向かって突出する固定ブラケット２１ないしは固定突起を有する。この固定アーム２０により、相手プラグコネクタがベース部分３と確実に固定され且つ故意でない抜取力から保護可能である。
【００４０】
さらに、ベース部分３が、並列に位置するメタルブリッジ１７、１８の間の内部空間内に、絶縁材料からなる隔壁２５を有し、隔壁２５は、絶縁材ハウジング２ないしは絶縁材ハウジング２のベース部分３と一体に製造されていることがわかる。
【００４１】
図６は、上記のスイッチング分配器１に対する接触部材アセンブリ２２の斜視図を示す。この場合、第２および第３のプラグ接触部材接続部７、９のプラグ接触部材の構造が、相互に向かい合うそれぞれ一対のフォーク歯１４、１６を有する、相互に向かい合い且つ相互に反対方向を向くそれぞれのフォーク接点によりわかる。さらに、これらのフォーク接点がフォーク歯１４、１６と一体に１枚のばね板材料から製造され且つＵ形状の結合ヨーク２３を介して相互に結合されていることがわかる。
【００４２】
さらに、板状の矩形メタルブリッジ１７がこれらのフォーク接点１５内に受け入れられ、そこでフォーク歯１６のばね力により導電接触され且つ機械的に確実に支持されることがわかる。
【００４３】
これに対して、第１のプラグ接触部材接続部６に対するプラグ接触部材１３ａは、相手プラグコネクタを有するプラグ接触部材接続部に対して、平板状に突出するフィンガ２４からなる平形接点として形成されている。これにより、ブッシュ（換言すれば、ソケット）として機能するフォーク接点とは異なり、例えば消費部の接続部に対するプラグが形成され、一方、このとき特に、第２の三極プラグ接触部材接続部７の上側領域内に電源接続部が受け入れられる。
【００４４】
図６から、特に、第１のプラグ接触部材接続部６と結合されていない、第３の四極プラグ接触部材接続部９の第４の自由な接続接触部材１３ｃが、第２の三極プラグ接触部材接続部７の１つのプラグ接触部材１３ｂとのみ結合されていることがわかる。
【００４５】
一方、第２の三極プラグ接触部材接続部７の他の２つのプラグ接触部材１３ｂは、第１の三極プラグ接触部材接続部６の付属プラグ接触部材１３ａとのみならず、第３の四極プラグ接触部材接続部９とも導電結合されている。
【００４６】
これに対して、第２のプラグ接触部材接続部７と結合されていない、第１の三極プラグ接触部材接続部６の第３のプラグ接触部材１３ａは、他の短いメタルブリッジ１８を介して、第３の四極プラグ接触部材接続部９の１つの付属接続接触部材１３ｃとのみ結合されている。
【００４７】
図７は、図５からのスイッチング分配器１のベース部分３を見た斜視図を示す。この実施形態においては、第２のプラグ接触部材接続部７の上側に固定アーム２０が突出していることがわかる。
【００４８】
さらに、これに向かい合って、下側領域内に、第１のプラグ接触部材接続部６に隣接して対応する固定アーム２０が設けられていることがわかる。
図８は、このスイッチング分配器１のこの実施形態のカバー部分４を見た背面図を示す。固定アーム２０を有するこの実施形態において、それから突出する保護スリーブ８ｃを有するカバー部分４は、第１の実施形態と同様に形成されていることがわかる。これにより、種々のタイプのカバー部分およびベース部分４、３の組み合わせにより、スイッチング分配器１の種々の変更態様が簡単且つ安価に形成可能である。
【００４９】
特に、接触部材アセンブリ２２に対して構造的および製造技術的費用をかけることなく、保護スリーブ８ａ、８ｂ、８ｃの輪郭の異なる形成により、このような変更態様を提供することもまた可能である。ベース部分およびカバー部分３、４は、種々の変更態様において、プラスチック射出成形部品として比較的安価に製造可能である。
【００５０】
図９は、二極の第１のプラグ接触部材接続部６、二極の第２のプラグ接触部材接続部７およびスイッチング・ユニットに接続するための三極の第３のプラグ接触部材接続部９を有する、スイッチング分配器１の二極変更態様の斜視図を示す。スイッチング分配器１の絶縁材ハウジング２は、第１および第２のそれぞれ二極のプラグ接触部材接続部６、７が、それらの自由端部を相互に反対方向に向けて共通のレベル上（換言すれば、高さ位置）に位置するように、Ｔ形状である。第１および第２のプラグ接触部材接続部６、７により張られる（換言すれば、画定される）面に対して直角に、第３のプラグ接触部材接続部９が突出する。第１および第２のプラグ接触部材接続部６、７のプラグ接触部材の保護スリーブ８ａ、８ｂに隣接して、固定アーム２０の自由端部に固定突起を有する該固定アーム２０が存在する。それぞれの固定アーム２０の両側に案内ピン２６が設けられ、案内ピン２６は、付属の隣接保護スリーブ８ａ、８ｂの伸長方向に伸長し且つ相手プラグ接触部材の対応する受入部内に入り込むように設けられている。
【００５１】
第３のプラグ接触部材接続部９に、保護スリーブ８ｃに隣接して、第３のプラグ接触部材接続部９上に装着されるスイッチング・ユニットの案内ピンを受け入れるための一対の受入部１０が設けられている。
【００５２】
スイッチング分配器１の絶縁材ハウジング２はベース部分３およびカバー部分４の２つの部分から形成され、ベース部分３およびカバー部分４は、（図示されていない）接触部材アセンブリが絶縁材ハウジング２内に挿入されたとき、固定ブラケットの形の固定要素５により相互に結合される。
【００５３】
第３のプラグ接触部材接続部９が三極であり、一方、第１および第２のプラグ接触部材接続部６、７が二極で形成されていることがわかる。この場合、第１、第２および第３のプラグ接触部材接続部６、７、９の接続接触部材が相互に結合され、これにより、接点トリプルを形成する。第１および第２のプラグ接触部材接続部６、７の他の接続接触部材は、それぞれ、第３のプラグ接触部材接続部９の１つの付属接続接触部材と導電結合され且つ第３のプラグ接触部材接続部９の付属接続接触部材と共にそれぞれ１つの接点対を形成する。第１および第２のプラグ接触部材接続部６、７の１つの付属接続接触部材と結合された第３のプラグ接触部材接続部９の接続接触部材の両方のスイッチをブリッジ結合することにより、第１および第２のプラグ接触部材接続部６、７の付属の第１の接続接触部材が導電結合される。このようにして、第３のプラグ接触部材接続部９上に装着されたスイッチング要素は、第１および第２のプラグ接触部材接続部６および７の相互に導電結合されていない接続接触部材の間の電気接点をブリッジ結合することが可能である。
【００５４】
図１０は、図９からのスイッチング分配器１を側面図で示す。この場合、案内ピン２６および固定アーム２０が付属保護スリーブ８ａ、８ｂに平行に伸長することがわかる。ここで、固定アーム２０の固定突起２５が付属保護スリーブ８ａ、８ｂの自由端部を超えて突出し且つ付属保護スリーブ８ａ、８ｂの方向を向いている。これは、保護スリーブ８ａ、８ｂ上に装着された相手プラグコネクタの固定を、付属固定アーム２０を弾性的に上方に揺動させることによって、固定突起２５により可能にする。
【００５５】
さらに、第３のプラグ接触部材接続部９の受入部１０がプラットフォーム２７上に位置し、受入部１０は、第３のプラグ接触部材接続部９上に装着されるスイッチング・ユニットの固定フィンガの固定突起により係合可能であることがわかる。このようにして、スイッチング・ユニットはスイッチング分配器１と固定可能である。
【００５６】
図９から、プラットフォーム２７は、受入部１０の間の中間空間内に固定アームの挿入を可能にするために、隣接して突出する２つの受入部１０の間の空間内において、付属保護スリーブ８ｃの内部方向に切り込まれていることがわかる。
【００５７】
図１１は、図９および１０からのスイッチング分配器１の概略図を示す。この場合、第１および第２の二極プラグ接触部材接続部６、７のプラス極およびマイナス極に対する接続接触部材１３ａおよび１３ｂの間の結線と、およびこの結線の、第３の三極プラグ接触部材接続部９の接続接触部材１３ｃとの結合と、が示されている。プラス極に対しては、第１、第２および第３のプラグ接触部材接続部６、７、９の接続接触部材１３ａ、１３ｂおよび１３ｃが、共通結線を介して相互に導電結合されていることがわかる。
【００５８】
第１の二極プラグ接触部材接続部６のマイナス極に対する接続接触部材１３ａは、ワイヤブリッジを介して、マイナス極の付属接続接触部材１３ｃとのみ結合されていることもまたわかる。これに対して、第３の三極プラグ接触部材接続部９の他の接続接触部材１３ｃは、第２の二極プラグ接触部材接続部７のマイナス極に対する接続接触部材１３ｂとのみ導電結合されている。このようにして、例えば、第３のプラグ接触部材接続部９のマイナス極に対する両方の接続接触部材１３ｃが第３のプラグ接触部材接続部９上に装着されたスイッチング・ユニット２８により相互に導電結合されているとき、電流が、第２のプラグ接触部材接続部７の接続接触部材１３ｂのマイナス極を介して、向かい合う第１のプラグ接触部材接続部６のマイナス極へ、矢印の方向に伝送される。
【００５９】
図１２は、二極の第１および第２のプラグ接触部材接続部６、７および三極の第３のプラグ接触部材接続部９を有するスイッチング分配器１の他の変更態様を示す。この場合もまた、第１および第２の二極プラグ接触部材接続部６、７のマイナス極は、スイッチング・ユニット２８を用いて、マイナス極に対する２つの分離された接続接触部材１３ｃによって、分離されたりまたは相互に導電結合されたりすることが可能である。これに対して、プラス極に対する付属接続接触部材１３ａ、１３ｂ、１３ｃの間のワイヤブリッジは、第１、第２および第３のプラグ接触部材接続部６、７、９のこれらの接続接触部材を常時結合する。
【００６０】
スイッチング分配器１のこの変更態様においては、第１のプラグ接触部材接続部６および第３のプラグ接触部材接続部９は、相互に向かい合って配置されている。第１および第３のプラグ接触部材接続部６、９は、相互に反対方向に突出する。これに対して、第２のプラグ接触部材接続部７は、第１のプラグ接触部材接続部６に隣接して同じ側に配置され且つ第１のプラグ接触部材接続部６に平行に同じ方向に突出する。
【符号の説明】
【００６１】
１  スイッチング分配器
２  絶縁材ハウジング
３  ベース部分
４  カバー部分
５  固定要素
６  第１のプラグ接触部材接続部
７  第２のプラグ接触部材接続部
８ａ、８ｂ、８ｃ  保護スリーブ
９  第３のプラグ接触部材接続部
１０  受入部
１１  固定フック
１２  コーディングピン
１３ａ、１３ｂ  プラグ接触部材
１３ｃ  接続接触部材
１４  フォーク舌片
１５  フォーク接点
１６  フォーク歯
１７  メタルブリッジ
１８  メタルブリッジ
１９  固定ブラケット
２０  固定アーム
２１  固定ブラケット
２２  接触部材アセンブリ
２３  結合ヨーク
２４  フィンガ
２５  隔壁
２６  案内ピン
２７  プラットフォーム
２８  スイッチング・ユニット
【図１】
2015516656.tif 000003
【図２】
2015516656.tif 000004
【図３】
2015516656.tif 000005
【図４】
2015516656.tif 000006
【図５】
2015516656.tif 000007
【図６】
2015516656.tif 000008
【図７】
2015516656.tif 000009
【図８】
2015516656.tif 000010
【図９】
2015516656.tif 000011
【図１０】
2015516656.tif 000012
【図１１】
2015516656.tif 000013
【図１２】
2015516656.tif 000014
【国際調査報告】
2015516656.tif 000015
2015516656.tif 000016
2015516656.tif 000017
2015516656.tif 000018
2015516656.tif 000019
2015516656.tif 000020